(57)【要約】【課題】  折り歯の往復動の速度とヒータローラの回転速度との関係の調整を熟練者でなくても容易に行なうことができるようにし、調整作業効率の向上を図る。【解決手段】  供給される布地Ｗを回転により搬送するとともに加温するヒータローラ１０と、ヒータローラ１０を所要の回転速度で回転駆動するヒータローラモータ１１と、押えベルトのスリットに挿通されこのスリットに沿って往復動させられて布地Ｗを折込んでこれにプリーツを形成する櫛歯状に列設された歯を有した折り歯２２と、折り歯２２を所要の回転速度で往復動させるように折り歯２２に連係した回転軸３１を所要の回転速度で回転駆動する折り歯モータ２３とを備え、ヒータローラモータ１１と折り歯モータ２３とを所定の回転比の関係で同期して作動させる制御部４０を備えた。【選択図】  図１
2008291369.tif 000002
【特許請求の範囲】
【請求項１】
供給される布地を回転により搬送するとともに該布地を加温するヒータローラと、該ヒータローラを所要の回転速度で回転駆動するヒータローラモータと、上記ヒータローラに対して上記布地を押えるとともに該布地の搬送方向に延びるスリットが列設された押えベルトと、該押えベルトのスリットに挿通され該スリットに沿って往復動させられて上記布地を折込んでこれにプリーツを形成する櫛歯状に列設された歯を有した折り歯と、該折り歯を所要の速度で往復動させるように該折り歯に連係した回転軸を所要の回転速度で回転駆動する折り歯モータとを備えたプリーツマシンにおいて、
上記ヒータローラモータと折り歯モータとを所定の回転比の関係で同期して作動させる制御部を備えたことを特徴とするプリーツマシン。
【請求項２】
上記制御部を、上記折り歯モータが回転駆動する回転軸の回転速度を設定する回転速度設定手段と、該回転速度設定手段により設定された回転速度で上記折り歯に連係した回転軸を回転させるように上記折り歯モータを作動させる折り歯モータドライバと、上記回転速度設定手段により設定された回転速度に対して所定の回転比で定められる上記ヒータローラの回転速度を決定する回転速度決定手段と、該回転速度決定手段が決定した回転速度で上記ヒータローラを回転させるように上記ヒータローラモータを同期して作動させるヒータローラモータドライバとを備えて構成したことを特徴とする請求項１記載のプリーツマシン。
【請求項３】
上記制御部を、上記所定の回転比を設定する回転比設定手段を備えて構成し、上記回転速度決定手段は、上記回転比設定手段で設定された回転比に基づいて上記回転速度設定手段が設定した回転速度から上記ヒータローラの回転速度を決定することを特徴とする請求項２記載のプリーツマシン。
【請求項４】
上記折り歯モータが回転駆動する回転軸の回転速度を設定する回転速度設定ツマミと、上記所定の回転比を設定する回転比設定ツマミとを有した操作パネルを備えたことを特徴とする請求項３記載のプリーツマシン。
【発明の詳細な説明】
【技術分野】
【０００１】
本発明は、ブラウスやワンピース等の衣類用の布地にプリーツを形成するプリーツマシンに関する。
【背景技術】
【０００２】
従来、この種のプリーツマシンとしては、図７に示すように、供給される布地Ｗを回転により搬送するとともに布地Ｗを加温するヒータローラ１００と、ヒータローラ１００を所要の回転速度で回転駆動するヒータローラモータ（図示せず）と、ヒータローラ１００に対して布地Ｗを押えるとともに布地Ｗの搬送方向に延びるスリット（図示せず）が列設された押えベルト１０１と、押えベルト１０１のスリットに挿通されスリットに沿って往復動させられて搬送される布地Ｗを折込んでこれにプリーツを形成する櫛歯状に列設された歯１０２ａを有した折り歯１０２と、折り歯１０２を所要の速度で往復動させるように折り歯１０２に連係した回転軸（図示せず）を所要の回転速度で回転駆動する折り歯モータ（図示せず）とを備えたものがある（例えば、特開２００１−４９５７６号公報掲載）。
【０００３】
このプリーツマシンにおいて、プリーツの谷と山の高さの設定は、折り歯１０２の往復動のストローク調整により行なっている。また、山と山（谷と谷）間のピッチの設定は、折り歯１０２の往復動の速度とヒータローラ１００の回転速度との関係の調整により行なっている。
この折り歯１０２の往復動の速度とヒータローラ１００の回転速度との関係の調整は、ヒータローラ１００側と折り歯１０２側とで、モータ自身の回転数やモータに連係した機構の調整により、個別に行なっている。この調整を適正に行なわないと、例えば、図８（ａ）に示すようにプリーツのピッチＰがＰ＝Ｐ０で適正なものとして、折り歯の往復動の速度に対してヒータローラ１００の回転速度が速くなりすぎると、図８（ｂ）に示すように、布地Ｗの製品のピッチＰがＰ＝Ｐａと大きくなりすぎてしまう。また、例えば、折り歯１０２の往復動の速度に対してヒータローラ１００の回転速度が遅くなりすぎると、図８（ｃ）に示すように、布地Ｗの製品のピッチＰがＰ＝Ｐｂと小さくなりすぎてしまい、場合によっては、ヒータローラ１００の布地Ｗの搬送が円滑に行なわれずに、布地Ｗがヒータローラ１００と押えベルト１０１との間に詰まって、支障を生じる。そのため、この折り歯の往復動の速度とヒータローラの回転速度との関係の調整は、極めて重要になっている。
【０００４】
【特許文献１】特開２００１−４９５７６号公報
【発明の開示】
【発明が解決しようとする課題】
【０００５】
ところで、このようなプリーツマシンにあっては、布地のプリーツにおける山と山（谷と谷）間のピッチの設定を行なう際、折り歯の往復動の速度とヒータローラの回転速度との関係の調整は、ヒータローラ側と折り歯側とで、個別に行なっているので、調整が煩雑になっているという問題があった。特に、布地の材質，厚さや織り方などによって、これらの設定の程度が異なることから、熟練者でも煩雑を極める。
【０００６】
本発明は上記の問題点に鑑みて為されたもので、折り歯の往復動の速度とヒータローラの回転速度との関係の調整を熟練者でなくても容易に行なうことができるようにし、調整作業効率の向上を図ったプリーツマシンを提供することを目的とする。
【課題を解決するための手段】
【０００７】
このような目的を達成するための本発明のプリーツマシンは、供給される布地を回転により搬送するとともに該布地を加温するヒータローラと、該ヒータローラを所要の回転速度で回転駆動するヒータローラモータと、上記ヒータローラに対して上記布地を押えるとともに該布地の搬送方向に延びるスリットが列設された押えベルトと、該押えベルトのスリットに挿通され該スリットに沿って往復動させられて上記布地を折込んでこれにプリーツを形成する櫛歯状に列設された歯を有した折り歯と、該折り歯を所要の速度で往復動させるように該折り歯に連係した回転軸を所要の回転速度で回転駆動する折り歯モータとを備えたプリーツマシンにおいて、上記ヒータローラモータと折り歯モータとを所定の回転比の関係で同期して作動させる制御部を備えた構成としている。
【０００８】
これにより、布地のプリーツにおける山と山（谷と谷）間のピッチの設定を行なう際は、ヒータローラモータ若しくは折り歯モータの何れか一方の回転速度を設定すればよい。プリーツマシンが作動すると、制御部により、ヒータローラモータと折り歯モータとは、これらの何れか一方の回転速度の設定に基づいて、所定の回転比の関係で同期して作動させられる。そのため、折り歯の往復動の速度とヒータローラの回転速度との関係の調整を熟練者でなくても容易に行なうことができるようになり、調整作業効率が向上させられる。
【０００９】
また、必要に応じ、上記制御部を、上記折り歯モータが回転駆動する回転軸の回転速度を設定する回転速度設定手段と、該回転速度設定手段により設定された回転速度で上記折り歯に連係した回転軸を回転させるように上記折り歯モータを作動させる折り歯モータドライバと、上記回転速度設定手段により設定された回転速度に対して所定の回転比で定められる上記ヒータローラの回転速度を決定する回転速度決定手段と、該回転速度決定手段が決定した回転速度で上記ヒータローラを回転させるように上記ヒータローラモータを同期して作動させるヒータローラモータドライバとを備えて構成している。
【００１０】
これにより、布地のプリーツにおける山と山（谷と谷）間のピッチの設定を行なう際は、回転速度設定手段により折り歯モータが回転駆動する回転軸の回転速度を設定すればよい。プリーツマシンが作動すると、制御部により、折り歯モータドライバが回転速度設定手段により設定された回転速度で折り歯に連係した回転軸を回転させるように折り歯モータを作動させる。また、回転速度決定手段が、回転速度設定手段により設定された回転速度に対して所定の回転比で定められるヒータローラの回転速度を決定し、ヒータローラモータドライバが回転速度決定手段が決定した回転速度でヒータローラを回転させるようにヒータローラモータを同期して作動させる。そのため、折り歯の往復動の速度とヒータローラの回転速度との関係の調整を熟練者でなくても容易に行なうことができるようになり、調整作業効率が向上させられる。
【００１１】
更に、必要に応じ、上記制御部を、上記所定の回転比を設定する回転比設定手段を備えて構成し、上記回転速度決定手段は、上記回転比設定手段で設定された回転比に基づいて上記回転速度設定手段が設定した回転速度から上記ヒータローラの回転速度を決定する構成としている。回転比設定手段により、所定の回転比を設定できる。そのため、回転比の設定だけで、回転速度設定手段が設定した折り歯に連係した回転軸の回転速度に対して、ヒータローラの種々の回転速度を設定することができ、選択の自由度を増すことができる。特に、布地の材質，厚さや織り方などに合わせて、熟練者でなくても最適な条件の設定を容易に行なうことができるようになり、より一層、調整作業効率が向上させられる。
【００１２】
更にまた、必要に応じ、上記折り歯モータが回転駆動する回転軸の回転速度を設定する回転速度設定ツマミと、上記所定の回転比を設定する回転比設定ツマミとを有した操作パネルを備えた構成としている。操作パネルのツマミの操作により回転速度を設定できるので、微調整が容易になり、より一層、調整作業効率が向上させられる。
【発明の効果】
【００１３】
本発明のプリーツマシンによれば、布地のプリーツにおける山と山（谷と谷）間のピッチの設定を行なう際は、ヒータローラモータ若しくは折り歯モータの何れか一方の回転速度を設定すればよいので、逐一、ヒータローラ側と折り歯側とで、調整を個別に行なわなくても良く、そのため、折り歯の往復動の速度とヒータローラの回転速度との関係の調整を熟練者でなくても容易に行なうことができるようになり、調整作業効率を向上させることができる。
【発明を実施するための最良の形態】
【００１４】
以下、添付図面に基づいて、本発明の実施の形態に係るプリーツマシンについて詳細に説明する。
図１乃至図６に示すように、実施の形態に係るプリーツマシンは、機台１に回転可能に設けられ、供給台２に載せられ下地紙３及び上地紙４で挟まれて供給される布地Ｗを下地紙３及び上地紙４とともに回転により搬送するとともに布地Ｗを加温するヒータローラ１０と、機台１に設けられ、ヒータローラ１０を所要の速度で回転駆動するヒータローラモータ１１とを備えている。詳しくは、図２及び図３に示すように、ヒータローラ１０の軸にはウォームホイル１２が設けられ、機台１にはこのウォームホイル１２に噛合するピニオンギヤ１３が回転可能に設けられている。そして、このピニオンギヤ１３と、ヒータローラモータ１１のモータ軸１１ａ間は、チェーン伝動機構１４により連係され、ヒータローラモータ１１の回転は、チェーン伝動機構１４，ピニオンギヤ１３及びウォームホイル１２を介してヒータローラ１０に伝達される。図４中符号５は下地紙３を供給するリール、符号６は上地紙４を供給するリールである。
【００１５】
また、実施の形態に係るプリーツマシンは、ヒータローラ１０に対して布地Ｗを押えるとともに布地Ｗの搬送方向に延びるスリット２１（図５）が列設された押えベルト２０と、押えベルト２０のスリット２１に挿通されスリット２１に沿って往復動させられて、搬送される布地Ｗを折込んでこれにプリーツを形成する櫛歯状に列設された歯２２ａ（図５）を有した折り歯２２と、折り歯２２を所要の速度で往復動させるように折り歯２２に連係した往復動機構３０の回転軸３１を所要の回転速度で回転駆動する折り歯モータ２３とを備えている。
【００１６】
往復動機構３０は、図４に示すように、一端が機台１に支持軸３３を中心に揺動可能に設けられ他端に折り歯２２が固定されるアーム３４と、回転軸３１とアーム３４との間に設けられアーム３４を揺動させるクランク機構３５と、回転軸３１を回転させるホイール３６と、このホイール３６に回転を伝達するため折り歯モータ２３及びホイール３６間に掛け渡されたＶベルト３７とを備えて構成されている。アーム３４の一端は、支持軸３３に対してその取り付け位置を可変に取り付けられており、アーム３４の一端の支持軸３３への取り付け位置を調整することにより、折り歯２２の往復動のストロークが調整されて、プリーツの谷と山の高さの設定が行なわれる。
【００１７】
そして、実施の形態に係るプリーツマシンは、図１及び図６に示すように、ヒータローラモータ１１と折り歯モータ２３とを所定の回転比（角速度比）の関係で同期して作動させる制御部４０を備えている。制御部４０は、折り歯モータ２３が回転駆動する回転軸３１の回転速度（角速度）を設定する回転速度設定手段４１と、回転速度設定手段４１により設定された回転速度で折り歯２２に往復動機構３０を介して連係した回転軸３１を回転させるように折り歯モータ２３を作動させる折り歯モータドライバ４２と、回転速度設定手段４１により設定された回転速度に対して所定の回転比で定められるヒータローラ１０の回転速度（角速度）を決定する回転速度決定手段４３と、回転速度決定手段４３が決定した回転速度でヒータローラ１０を回転させるようにヒータローラモータ１１を同期して作動させるヒータローラモータドライバ４４とを備えて構成されている。
【００１８】
また、制御部４０は、所定の回転比を設定する回転比設定手段４５を備えて構成されている。上記の回転速度決定手段４３は、回転比設定手段４５で設定された回転比に基づいて回転速度設定手段４１が設定した回転速度からヒータローラ１０の回転速度を決定する。回転速度設定手段４１及び回転比設定手段４５は、例えば、抵抗可変型のボリュームツマミ（５１，５２）で構成され、ヒータローラモータドライバ４４，折り歯モータドライバ４２及び回転速度決定手段４３は、例えば、周知のインバータ回路やマイコンなどで構成されている。
【００１９】
制御部４０は、図６に示すように、操作パネル５０を備えており、この操作パネル５０に、折り歯モータ２３が回転駆動する回転軸３１の回転速度を設定する回転速度設定ツマミ５１と、所定の回転比を設定する回転比設定ツマミ５２とが設けられている。回転速度設定ツマミ５１の可動範囲は、例えば所定の回転数に対応させた０〜１０の範囲で連続的に行なわれるように設定されている。回転比設定ツマミ５２の可動範囲は、０〜２００の範囲で連続的に行なわれるように設定され、例えば、折り歯モータ２３が回転駆動する回転軸３１の回転速度（角速度）をＶｏ，ヒータローラ１０の回転速度（角速度）をＶｈとしたとき、回転比Ｒ＝Ｖｈ／Ｖｏを、設定値０において、Ｒ＝０、設定値１００において、Ｒ＝０．６、設定値２００において、Ｒ＝１．２になるように、連続的に比例設定が行なわれるように定められている。設定値１００において、標準的な回転比になるようにしている。
【００２０】
従って、この実施の形態に係るプリーツマシンによれば、プリーツの谷と山の高さの設定は、アーム３４の一端の支持軸３３への取り付け位置を調整することにより、折り歯２２の往復動のストロークが調整されて行なわれる。
また、プリーツの山と山（谷と谷）間のピッチの設定は、以下のようにして行なう。先ず、図６に示すように、回転速度設定ツマミ５１（回転速度設定手段４１）を０〜１０の範囲で回動させ、所要の位置に設定する。これにより、所定の回転数に対応させた回転速度に設定される。次に、回転比設定ツマミ５２（回転比設定手段４５）を０〜２００の範囲で回動させ、所要の位置に設定する。これにより、回転速度決定手段４３により、回転速度設定手段４１により設定された回転速度に対して回転比設定手段４５で設定された所定の回転比で定められるヒータローラ１０の回転速度が決定される。
【００２１】
この状態で、プリーツマシンを作動させ、布地Ｗを供給すると、図５に示すように、布地Ｗは、押えベルト２０によって押えられながらヒータローラ１０により搬送されるとともに加温され、この過程で、折り歯２２が往復動し、その櫛歯状の歯２２ａが押えベルト２０のスリット２１に挿通されスリット２１に沿って往復動させられて搬送される布地Ｗを折込んでこれにプリーツを形成する。
この場合、制御部４０により、折り歯モータドライバ４２が回転速度設定手段４１により設定された回転速度で折り歯２２に連係した回転軸３１を回転させるように折り歯モータ２３を作動させる。また、回転速度決定手段４３が、回転速度設定手段４１により設定された回転速度に対して所定の回転比で定められるヒータローラ１０の回転速度を決定し、ヒータローラモータドライバ４４が回転速度決定手段４３が決定した回転速度でヒータローラ１０を回転させるようにヒータローラモータ１１を同期して作動させる。そのため、折り歯２２の往復動の速度とヒータローラ１０の回転速度との関係の調整を熟練者でなくても容易に行なうことができるようになり、調整作業効率が向上させられる。
【００２２】
また、回転比設定手段４５により、所定の回転比を設定できるので、回転比の設定だけで、回転速度設定手段４１が設定した折り歯２２に連係した回転軸３１の回転速度に対して、ヒータローラ１０の種々の回転速度を設定することができ、選択の自由度を増すことができる。特に、布地Ｗの材質，厚さや織り方などに合わせて、熟練者でなくても最適な条件の設定を容易に行なうことができるようになり、より一層、調整作業効率が向上させられる。
【００２３】
更に、もし、布地Ｗのプリーツの微調整が必要な場合には、回転速度設定ツマミ５１（回転速度設定手段４１）及び回転比設定ツマミ５２（回転比設定手段４５）を僅かに回動させて調整すればよい。操作パネル５０のツマミの操作により回転速度を設定できるので、微調整が容易になり、より一層、調整作業効率が向上させられる。
【図面の簡単な説明】
【００２４】
【図１】本発明の実施の形態に係るプリーツマシンを示す正面図である。
【図２】本発明の実施の形態に係るプリーツマシンを示す部分側面図である。
【図３】本発明の実施の形態に係るプリーツマシンを示す部分平面図である。
【図４】本発明の実施の形態に係るプリーツマシンを示す別の正面図である。
【図５】本発明の実施の形態に係るプリーツマシンの布地の折込み状態を示す要部図である。
【図６】本発明の実施の形態に係るプリーツマシンの制御部の構成を示す図である。
【図７】本発明が適用される従来のプリーツマシンの要部を示す図である。
【図８】布地のプリーツのピッチの状態を示す図である。
【符号の説明】
【００２５】
Ｗ  布地
１  機台
２  供給台
３  下地紙
４  上地紙
１０  ヒータローラ
１１  ヒータローラモータ
２０  押えベルト
２１  スリット
２２  折り歯
２２ａ  歯
２３  折り歯モータ
３０  往復動機構
３１  回転軸
４０  制御部
４１  回転速度設定手段
４２  折り歯モータドライバ
４３  回転速度決定手段
４４  ヒータローラモータドライバ
４５  回転比設定手段
５０  操作パネル
５１  回転速度設定ツマミ
５２  回転比設定ツマミ
【図１】
2008291369.tif 000003
【図２】
2008291369.tif 000004
【図３】
2008291369.tif 000005
【図４】
2008291369.tif 000006
【図５】
2008291369.tif 000007
【図６】
2008291369.tif 000008
【図７】
2008291369.tif 000009
【図８】
2008291369.tif 000010